(57)【要約】  本発明の１つの態様は、紙巻きタバコなどの喫煙品用のヒンジ式蓋付きパック（１）を提供する。このパックは、胴体（４）と蓋（５）とを含み、それぞれ前部パネル（１２、２２）、背部パネル（１３、２３）、対向する側部パネル（１１Ａ、１１Ｂ、２１Ａ、２１Ｂ）を有する。蓋（３）の背部パネル胴体の背部パネルにヒンジ式に取り付けられている。蓋の少なくとも１つの側部パネルには、蓋の開放を妨げるために蓋の側部パネルと実質的に同一面に延びた内部タブ（２０１Ａ、２０１Ｂ）が設けられている。
2010515632.tif 000002
【特許請求の範囲】
【請求項１】
胴体および蓋を含み、それぞれ前部パネル、背部パネルおよび対向する側部パネルを有する喫煙品用のヒンジ式蓋付きパックにおいて、蓋の背部パネルが胴体の背部パネルにヒンジ式に取り付けられ、蓋の少なくとも１つの側部パネルに蓋の側部パネルと実質的に同一面に延びた内部タブが設けられており、これにより蓋の開放を妨げることを特徴とするパック。
【請求項２】
胴体の内側に取り付けられた内部フレームをさらに含み、パックが閉じられた際に前記内部タブが前記内部フレームと胴体の側部パネルの間に挿入されることを特徴とする請求項１記載のパック。
【請求項３】
パックが閉じられると、内部タブが胴体の前部パネルと係合することを特徴とする請求項１または２記載のパック。
【請求項４】
パックが閉じられたとき、蓋が開くのを妨げるために、内部タブに胴体の前部パネルと係合する角とこの角から離れて延びた湾曲した縁部が設けられており、この湾曲した縁部は、蓋を開ける間、胴体の前部パネルと実質的に触れずにいるように形成されていることを特徴とする請求項３記載のパック。
【請求項５】
蓋の側部パネルと同一面にある内部タブが、胴体前部パネルと０．３〜３ｍｍの範囲の重なる部分を有することによってパックが閉じられたときに胴体の前部パネルと係合することを特徴とする請求項３または４記載のパック。
【請求項６】
蓋の側部パネルと同一面にある内部タブが、胴体前部パネルと０．５〜２ｍｍの範囲の重なる部分を有することによってパックが閉じられたときに胴体の前部パネルと係合することを特徴とする請求項５記載のパック。
【請求項７】
蓋の側部パネルと同一面にある内部タブが、胴体前部パネルと１ｍｍの範囲の重なる部分を有することによってパックが閉じられたときに胴体の前部パネルと係合することを特徴とする請求項６記載のパック。
【請求項８】
蓋の側部パネルの内部タブが対応する胴体の側部パネルの内側で相補的な形状を有する制限部材と係合するように形成されていることを特徴とする請求項１または２記載のパック。
【請求項９】
内部タブが制限部材の相補的なノッチと係合する突起を含むことを特徴とする請求項８記載のパック。
【請求項１０】
各胴体側部パネルが内層と外層とを含み、前記制限部材が前記内層の一部を形成することを特徴とする請求項８または９記載のパック。
【請求項１１】
胴体前部パネルがそれが内部タブと係合する所で側部パネルに隣接して斜め上方に延び、この斜め上方に延びた部分が蓋が閉じられる際に内部タブを内方に撓ませる役割を果たすことを特徴とする請求項３乃至１０いずれか１項記載のパック。
【請求項１２】
前記斜めに延びた部分が胴体の側部パネルの頂縁部を形成する斜めの線と同じ角度で延びていることを特徴とする請求項１１記載のパック。
【請求項１３】
パックの蓋の背部に隣接する内部タブの部分がパックの背部に隣接する胴体の側部パネルの下方に延びていることを特徴とする請求項１乃至１２いずれか１項記載のパック。
【請求項１４】
前記内部タブが蓋の背部パネルから折り曲げられる材料から形成されることを特徴とする請求項１乃至１３いずれか１項記載のパック。
【請求項１５】
蓋の２つの側部パネルそれぞれにパックが閉じているときに蓋が開くのを妨げる内部タブが設けられていることを特徴とする請求項１乃至１４いずれか１項記載のパック。
【請求項１６】
請求項１乃至１５いずれか１項記載のヒンジ式蓋付きパックを製造するためのブランク。
【請求項１７】
添付図面を参照して本明細書中で説明されたパック。
【請求項１８】
添付図面を参照して本明細書中で説明されたブランク。
【発明の詳細な説明】
【技術分野】
【０００１】
本発明は、紙巻きタバコなどの喫煙品用のパックに関する。
【背景技術】
【０００２】
紙巻きタバコを販売する場合、板紙またはそれに類するものからなるヒンジ蓋付き（ｈｉｎｇｅｄ−ｌｉｄ，ＨＬ）カートンまたはパックで販売されるのが一般的である。ＨＬパックの外側は、通常、透明のセロファンで包まれている。このセロファンの包みは、喫煙者がパックに入っている紙巻きタバコまたは他の喫煙品を手にするために喫煙者によって取り除かれる。
【０００３】
ＨＬパックは、通常、長方形であり、胴体部とこれにヒンジ式に取り付けられた蓋部とを含む。胴体部は、対向する前部パネルおよび背部パネルと、２つの対向する側部パネルと、底部パネルとを含み、蓋は、対向する前部パネルおよび背部パネルと、２つの対向する側部パネルと、胴体の底部パネルに対向する頂部パネルとを含む。蓋の背部パネルと胴体の背部パネルは、ヒンジ式に相互に接合されている。胴体の背部パネルおよび前部パネルは、蓋が閉じられたときに、蓋の対応する側部および前部パネルと当接する。背部パネル間のヒンジ線は、前部パネル同士が当接する線より、一般的には高い位置（パックの頂部近辺）にあり、従って蓋と胴体の側部パネルの当接線は、パックの前方に向かって下方に傾斜している。
【０００４】
ＨＬパックには、通常、その胴体部の内側にのり付けされた内部フレームが設けられている。通常、この内部フレームは、胴体と蓋との当接線を越えて延在する前部パネルと対向する側部パネルとを含む。従って、蓋がパックの胴体と正確に一致しない場合、内部フレームがパックの中身が露出するのを妨げることになる。
【０００５】
既存のＨＬパックの知られている問題点として、特にセロファンの包みが取り除かれた後、蓋が必ずしも完全に閉じないということがある。多くの場合、蓋は、パックから僅かに開いた状態になり、極端な場合、完全に開いてしまう。この現象は、「あくび（ｙａｗｎｉｎｇ）」として知られている。このようなあくびは、パック内外への不必要な出入りを助長する、例えば紙巻きタバコのタバコの水分が失われたりする。蓋がゆるいと、パックを持ち上げた際に、中身がこぼれ落ちてしまう危険性がある。さらにきちんと閉まらない蓋を有するパックは、見栄えもよくない。
【０００６】
あくびは、紙巻きタバコまたは他の喫煙品をパックから取り出す際にさらに大きな問題になる。これには主に２つの理由がある。まず第一に蓋の動きが、内部フレームとの摩擦係合によって妨害される。しかしながら、この摩擦係合は、例えばパックの板紙がすり減ったりおよび／または曲げられたりするので、（パック内の製品を取り出すために）蓋を繰り返し開閉することによって、一般的には減少する。第二にパックは、パック内の製品（パックが完全に満たされている場合）と蓋の開放行為との間に僅かに干渉（通常１ｍｍ未満）ができるように設計されている。言い換えれば、紙巻きタバコで満たされたパックの蓋を開く場合、パック内の紙巻きタバコの何本かが僅かに一時的に圧縮される必要がある。しかしながら、パックから何本かの紙巻きタバコを取り出した後は、これにより残りの紙巻きタバコが少なくとも部分的にパックの後方へと移動できる空間ができてしまい、紙巻きタバコと蓋の開放作用との間の干渉がなくなってしまう。
【０００７】
米国特許第５９０４２４４号には、パックを閉じた状態に維持するのに役立つ閉止補助部が設けられた紙巻きタバコ用のヒンジ蓋付きパックが開示されている。閉止補助部は、パックの胴体の両側壁から延びた内方側部タブを含み、パックの蓋の内部の内方側部タブと係合する。あくびに対する別の公知の機構としては、内部フレームがパックの胴体を越えて延在する内部フレームの部分に外方に向いた突起または耳部を設けたものがある。これらの突起は、蓋が閉じた際に蓋と摩擦係合し、これによりあくびを防いで、蓋を所定の位置に保持するのを補助する。このような耳部の例が、ＷＯ９６／０９２３０号にも見られる。しかしながら、これらの突起は、必ずしも有効ではなく、これらは時には内部フレームに皺を形成する場合がある（内部フレームがパックの胴体より柔らかい材料で形成される場合）。
【発明の概要】
【発明が解決しようとする課題】
【０００８】
従って、本発明の一態様は、喫煙品用のヒンジ蓋付きパックを提供する。このパックは、胴体と蓋とを含み、それぞれ前部、背部および対向する側部パネルを有する。蓋の背部パネルは、胴体の背部パネルにヒンジ式に取り付けられている。蓋の少なくとも一方の側部パネルには、蓋の開放を妨げるために蓋のこの側部パネルと実質的に同一面に延びた内部タブが設けられている。従ってこの内部タブは、あくび対抗機構の形態としての役割を果たし、これによりパックが適切に閉じられた状態を確実に維持することに役立つ。
【０００９】
１つの態様においてパックは、さらに胴体の内側に取り付けられた内部フレームを含む。内部タブは、パックを閉じた際に内部フレームと胴体の側部パネルの間に挿入される。内部フレームと胴体との間のこの形態は、内部タブが曲がったり、湾曲したりするのを防ぐのに役立つ。さらに内部タブと内部フレームおよび側部パネル間の摩擦によってパックが開くのを防ぐ。
【００１０】
１つの態様において内部タブは、パックが閉じているとき、胴体の前部パネルと係合する。例えば、内部タブは、胴体の前部パネルと重なる部分を有してもよく、その部分は、０．３−３ｍｍの範囲、または０．５−２ｍｍの範囲、例えば約１ｍｍである。他の態様では必要に応じて異なる度合いの重なり部であってもよい。
【００１１】
１つの態様において内部タブにはパックが閉じた際に蓋が開くのを防ぐために胴体の前部パネルに係合する角が設けられている。さらに内部タブにはこの角から離れて延びた湾曲縁部が設けられている。このこの湾曲した縁部は、蓋を開ける間、胴体の前部パネルと実質的に触れずにいるように形成されている。その結果、蓋を開く際の初期の抵抗が解放され、この角が前部パネルからの係合が解かれると、蓋は、内部タブからのさらなる抵抗を受けずに開くことができる。
【００１２】
上記の態様において、内部タブと前部パネルとの係合は、蓋の開放を阻害する。他の態様では、蓋の開放は、いくつかの他の機構、例えば内部タブとパックの胴体部の対応する側部パネルの内部との係合などによって阻害される。例えば１つの態様では、蓋の側部パネルの内部タブは、対応する胴体側部パネルの内側で内部タブと相補的な形状を有する制止部材と係合する形状を有する。この内部タブは、制止部材の補足ノッチと係合する突起を含む。この態様では、各胴体側部パネルは、内層および外層を含んでもよく、制止部材が内層の一部を形成する。
【００１３】
１つの態様では、パックの背部に隣接する内部他部の部分は、パックの背部に隣接する胴体の側部パネル内へと下方に延びている。この形態によってパックが閉じられる際にパック胴体の内側に内部タブが案内され、そこから内部タブは、胴体の前部パネルと係合することができる。
【００１４】
１つの態様では、胴体部の前部パネルは、前部パネルが内部タブによって係合する側部パネルに隣接して上方斜めに延びている。（１つの特定の態様では、斜めに延びるということは、胴体の側部パネルの頂縁部を形成する対角線と同じ角度で継続することを含む。）このように斜めに延びることによって、蓋が閉じる際に、内部タブが内方に撓みやすくなる。従って、これによってパックを閉じるために内部タブと前部パネルとの係合を解除しやすくなり、内部タブを側部パネルと内部フレームとの間の適当な位置に案内しやくなる。
【００１５】
１つの態様では、内部タブは、蓋の背部パネルから折り曲げられた材料で形成され、例えば、多くの既存のＨＬパックに既に存在するパネルを変形して形成される（従来のＨＬパックでは、このパネルは、蓋の内側に完全に含まれているが）。従って既存の機械を使ってこのような内部タブを有するパックを比較的容易に作製することができる。
【００１６】
１つの態様では、蓋の２つの側部のそれぞれには、胴体の前部パネルに係合するために内部タブが設けられており、パックが閉じた際に蓋が開かないようにする。一般的にこれら２つの内部タブは、同じであり、対照的な抵抗を供し、上述の特徴のいずれかを共有する。
【００１７】
本発明の別の態様は、このようなヒンジ蓋付きパックを作製するためのブランクを提供する。このブランクは、従来のＨＬパック用のブランクを変形して形成してもよく、ブランクのパネルのいくつかの大きさおよび形状が変えられる（ブランクの全体の大きさおよび形状と共に）。
【００１８】
本発明の種々の態様を添付図面を参照し、詳述する。
【図面の簡単な説明】
【００１９】
【図１ａ】ヒンジ式蓋付きパックの一般的な形状を例示する。
【図１ｂ】ヒンジ式蓋付きパックの一般的な形状を例示する。
【図２】本発明の一態様によるヒンジ式蓋付きパックの全面を詳細に示す。
【図３】図２のヒンジ式蓋付きパックの蓋を取り除いた前面図である。
【図４】蓋が開いた状態の図２のヒンジ式蓋付きパックの側面図である。
【図５】蓋が閉じた状態の図２のヒンジ式蓋付きパックの側面図である。
【図６】蓋が閉じられる図２のヒンジ式蓋付きパックの詳細図である。
【図７】蓋が半分開いた状態の図２のヒンジ式蓋付きパックの側面図である。
【図８】従来のヒンジ式蓋付きパック用のブランクを示す。
【図９】本発明の１つの態様によるヒンジ式蓋付きパック用のブランクを示す。
【図１０】本発明の１つの態様によるヒンジ式蓋付きパック用のブランクを示す。
【図１１】本発明の１つの態様によるヒンジ式蓋付きパック用のブランクを示す。
【図１２】蓋が閉じた状態の図１０のブランクから形成されたヒンジ式蓋付きパックの側面図である。
【００２０】
図１Ａおよび１Ｂは、ヒンジ式蓋付き（ＨＬ）パックの一般的な形状を例示している。ＨＬパックは、一般的には長方形であり、胴体部４と、これにヒンジ式に取り付けられた蓋部５とを含む。胴体は、対向する前部パネル１２および背部パネル１３と、２つの対向する側部パネル１１Ａ、１１Ｂと、底部パネル（図１Ａと１Ｂには示していない）とを含む。蓋は、対向する前部パネル２２および背部パネル２３と、２つの対向する側部パネル２１Ａ、２１Ｂ（それぞれ胴体側部パネル１１Ａおよび１１Ｂと位置合わせされている）と、蓋の底部パネルに対向する頂部パネル１５とを含む。胴体背部パネル１３および蓋の背部パネル２３は、通常パックの底部と平行なヒンジ線３８によって接合されている。
【００２１】
パックが閉じられると、通常パックの底部に平行な線３６に沿って、胴体前部パネル１２は、蓋前部パネル２２と当接する。胴体側部パネル１１Ａ、１１Ｂは、それぞれ線３７Ａおよび３７Ｂに沿って対応する蓋側部パネル２１Ａ、２１Ｂと当接する。ヒンジ線３８は、胴体および蓋の前部パネル間の当接線３６より高い位置（パックの頂部に近い）に位置し、よって蓋の側部パネルと胴体の側部パネル間の当接線３７Ａ、３７Ｂは、パックの前部の方へと斜め下方に傾斜する。
【００２２】
パックを開ける際、蓋５はヒンジ線を中心に旋回する。これにより蓋の前部パネル２２は、胴体の前部パネル１２から離れ、同様に側部パネル同士も互いに離れ、これによりＨＬパック１の内容物を取り出すことができる。
【００２３】
図２は本発明の一態様によるＨＬパックの全面を詳細に示している。図２から判るように胴体前部パネル１２と蓋前部パネル２２間の当接線３６の中央部分は、水平である（パックの底部に平行）。しかしながら、胴体前部パネル１２と蓋前部パネル２２は、当接線３６の２つの端部（即ち、側部パネルを含む縁部付近）が線の断片４６Ａおよび４６Ｂによって示すようにパックの頂部の方へと斜めに上向きになっている。
【００２４】
１つの態様では、線４６Ａはパネルの側部の線３７Ａの延長であり、同様に線４６Ｂは、線３７Ｂの延長である。言い換えれば、線４６Ａの傾斜角は、線３７Ａの傾斜角と同じであり、線４６Ｂの傾斜角は、線３７Ｂの傾斜角と同じである。垂直方向に対する線４６Ａの傾斜角は、線３７Ａの傾斜角より鋭角にすることも可能である。
【００２５】
１つの態様では、線４６Ａと４６Ｂの長さは、１〜３ｍｍの範囲であり、例えば約２ｍｍであり、線３６に対する線４６Ａおよび４６Ｂの傾斜角は、３０〜６０°の範囲であり、例えば約４０°である。当然のことながら、他の態様では、線４６Ａおよび４６Ｂは異なる長さおよび／または傾斜角であってもよい。例えば、線４６Ａおよび４６Ｂの角度は、蓋の長さ（短い蓋または拡張された蓋）およびパックのフォーマットによって変わる。
【００２６】
図３は蓋５を取り除いた図２のＨＬパックを示す。これによりパックの内部フレーム１０２が露出している。内部フレームは、前部パネル１１２と２つの対向する側部パネル１１１Ａ、１１１Ｂ（フレーム側部パネル１１１Ｂは図４Ａに示しているが、対向する側部パネル１１１Ａは、図からは見えない）。内部フレームは、接着剤を用いて内部フレームの前部パネル１１２を胴体部の前部パネル１２の内面にのり付けすることによって胴体部４に取り付けられる。さらに内部フレームの側部パネル１１１Ａおよび１１１Ｂは、通常、胴体部４の対応する側部パネル（それぞれ１１Ａおよび１１Ｂ）にのり付けされる。
【００２７】
内部フレーム１０２の前部パネル１１２および側部パネル１１１Ａ、１１１Ｂは、ＨＬパックの胴体部４上に延在している。内部フレーム１０２を設ける理由の１つは、製造許容差により胴体前部パネル１２が蓋前部パネル２２に正確に当接しない場合があるからであり、言い換えれば当接線３６に僅かな隙間ができる場合があるからである。同様に胴体側部パネル１１Ａと蓋側部パネル２１Ａの間の当接線３７Ａおよび／または胴体側部パネル１１Ｂと蓋側部パネル２１Ｂの間の当接線３７Ｂに僅かな隙間ができる場合がある。従って内部フレーム１０２は、当接線３６、３７Ａおよび／または３７Ｂに沿ったこのような隙間の裏当てカバーとしての役割を果たす。これによりＨＬパック内の紙巻きタバコまたは他の喫煙品が露出して製品の見栄えを損なうようなことを防ぐ。また内部フレームは、パックになにかが進入またはパックからなにかが出るのを防ぐ障壁、パックに強度を与える（特に胴体部にのり付けされた場合）および蓋が閉まった状態に維持する役割を果たす。
【００２８】
図４は、蓋が開いた状態の本発明の一態様によるＨＬパックを示す。この図から判るように蓋は、蓋の側部パネル２１Ｂを越えて延びた湾曲した延長部またはタブ２０１Ｂを含む。蓋の対向する側部パネル２１Ａにもこのような湾曲した延長部２０１Ａ（図４には示していない）が設けられる。
【００２９】
図５は、蓋が閉じた状態の図４のＨＬパックを示す。蓋５が閉じているとき、タブ２０１Ｂは、胴体側部パネル１１Ｂと内部フレーム側部パネル１１１Ｂの間に摺動し、パックの対向する側のタブも同様である。側部パネル１１Ｂの後ろのタブ２０１Ｂの位置を図５の破線で示す。
【００３０】
タブ２０１Ｂは、その角２１０ＢがＨＬパックの胴体部４の角１５Ｂの僅かに下方に位置するような大きさおよび形状を有する。（角１５Ｂは胴体前部パネル１２の頂部が胴体側部パネル１１Ｂと合う地点を表し、またこれは線４６Ｂと線３７Ｂの接合部に相当する。）胴体前部パネル１２とタブ２０１Ｂとがこのように重なることによって、蓋５の開放を阻害する。従って、タブ２０１Ｂは抗あくび機構として機能し、蓋５を胴体部４に対して完全に閉じた状態に維持する。
【００３１】
胴体前部パネル１２とタブ２０１Ｂとの重なる度合いは、約１ｍｍであるが、これは態様ごとに変えてもよい。この程度の重なり度合いによって、ＨＬパックが比較的伸展性のある材料から作製されるならば、ＨＬパックを開くことができる。特に喫煙者が適当な力を加えると、ＨＬパックは、僅かに変形し、タブ２０１Ｂの前部パネルとの係合が解かれ、蓋が開くようになる。変形の量は、蓋が開いた後、元の形状に弾性によってパックが戻る程度のものである。蓋が再度閉じられると、同様な一時的な変形が生じ、これによりタブ２０１Ｂが図５に示す位置に戻る（よって抗あくび機構が再度機能する）。
【００３２】
蓋を閉じたり開いたりする際のＨＬパックの弾性変形は、線３６の上向きの端部４６Ａ、４６Ｂによって補助される。従って線３６で示すような胴体前部パネルの頂部の主要部分は、角１５Ｂの胴体前部パネルの頂部の角の部分より低い位置にある。ＨＬパックを開けようとすると、タブ２０１Ｂは、角１５Ｂに隣接する側部パネル１１Ｂと胴体前部パネル１２によって案内され、前部パネルの頂部が低くなっている（線３６に対応する）領域の方へと内方に変形する。これによりタブ２０１Ｂは、胴体前部パネル１２を通過し、蓋を開くことができる。
【００３３】
胴体前部パネルの線３６の上向きの端部は、図６に示すように蓋５を閉じる際も補助する。蓋がほとんど閉じられると、角２１０Ａに隣接するタブ２０１Ａの縁部は、胴体前部パネル１２の頂部が胴体側部パネル１１Ａの頂部と交わる角１５Ａと接触する。蓋がさらに降下すると、線４６Ａの傾斜が側部パネル１１Ａ、３７Ａの面から外れて矢印で示す方向にタブ２０１Ａの角２１０Ａを僅かに内方に撓ませるまたは付勢する。これにより角２１０Ａは、胴体前部パネル１２Ａの最も高い部分から離れて、線３６に対応する下方の位置へと移動し、よって喫煙者からの必要以上の力を必要とせずにタブ２０１Ａは胴体前部パネルを通過することができる。それからタブ２０１Ａは、元の面配置に弾性によって戻ることができ、この作用は、タブ２０１Ａが胴体側部パネル１１Ａと内部フレーム１１１Ａ（図示されていない）の間に挿入される際に補助される。最終的に蓋が完全に閉じると、タブ２０１Ａは、図５に示すような抗あくび配置に戻る。
【００３４】
別の態様では、胴体前部パネル１２とタブ２０１Ｂは重ならない。この態様では、パックの開放に対する抵抗は、タブ２０１Ｂと胴体部４の対応する側部パネル１１Ｂの内面との摩擦によって供される。例えば、図６を参照した場合、蓋５を開けるために、タブ２０１Ａは、摺動して側部パネル１１Ａ（実質的にタブ２０１Ａと同一面にある）を通過する。この摺動移動の際の摩擦が蓋５を閉じた状態に維持するのを補助する。パックに内部フレーム１０２が設けられていると、この抵抗は、増加する、なぜならタブ２０１Ａが胴体部４の側部パネル１１Ａと内部フレーム１０２の側部壁１１１Ａ（図６には示していない）の間に位置するからである。このようにタブ２０１Ａが挟まれる構造によって、タブ２０１Ａを胴体部４の側部パネル１１Ａと内部フレーム１０２の側壁１１１Ａから引き出す際の摩擦をより大きくすることになる。
【００３５】
図７は、蓋５が半分開いた状態の本発明の一態様によるＨＬパックを例示している。胴体背部パネル１３に隣接する胴体側部パネル１１Ｂの頂部の角１６Ｂは、ヒンジ線３８に隣接するタブ２０１Ｂの底部の角２１１Ｂ（図５参照）より高い位置にある（即ち重なる）。１つの態様では、この重なる部分は、０．５ｍｍ〜２．５ｍｍの範囲であり、例えば約１ｍｍである。当然のことながら、他の態様では、重なる量は、異なってもよい。
【００３６】
この重なりによって、蓋が閉じた際にタブ２０１Ｂが胴体側部パネルの内側で確実に受け止められることになる。蓋が完全に開いた際には重なる部分は、存在しないが（図４に示すように）、タブの底部の角２１１Ｂは、胴体側部パネル１１Ｂの頂部の角１６Ｂに近い位置にある。これによりこれら２つの部分が著しく相対的に移動する可能性を制限する。従って蓋が閉まり始めると、角１６Ｂの内側の角２１１Ｂの位置が維持され、タブ２０１Ｂの残りの部分を側壁１１Ｂの内側を通過するように案内し。確実に抗あくび機構が適切に機能することになる。
【００３７】
図８は、従来のＨＬパックのブランクを示し、実線は、切断線を示し、破線は、折り曲げ線を示す。図９は本発明の一態様によるＨＬパックのブランクを示す。当然のことながら図９のブランクは、図８のブランクと同じ組み合わせのブランクを含み、同じように切断および折り曲げて組み立てられるが、図９のブランク全体の形状およびブランク内のパネルのいくつかの形状は、図８と比較した場合異なる。
【００３８】
図８および図９は、まだ説明していないいくつかのパネルを示す。これらの追加のパネルは、パックの底部を形成するパネル６１０を除いて、他のパネルの後ろに折り込まれる。従ってパネル６１５は、蓋の前部パネル２２の後ろに折り込まれ、側部底部パネル６１２Ａおよび６１２Ｂは、パックの底部上に折り込まれ、側部内部パネル６１１Ａと６１１Ｂは、側部パネル１１Ａと１１Ｂの内側にのり付けされ、蓋の頂部パネル６１４Ａおよび６１４Ｂは、蓋のパネル１５の下に折り込まれる。タブ２０１Ａと２０１Ｂは、蓋の頂部パネル６１４Ａおよぶ６１４Ｂにそれぞれ接合している。
【００３９】
以下が図８と図９のブランクとの主な違いである。
ａ）図８のブランクでは、タブ２０１Ａと２０１Ｂに対応するパネルは、それぞれ対応する蓋の側部パネル２１Ａおよび２１Ｂと同一の広がりを持って延在しているが、図９のブランクではタブ２０１Ａと２０１Ｂは、それぞれ対応する蓋の側部パネル２１Ａおよび２１Ｂより大きい。従って、図８のブランクでは、タブ２０１Ａおよび２０１Ｂに対応するパネルは、蓋の側部パネル２１Ａおよび２１Ｂの下方に延びない、従って図９のブランクとは異なり、抗あくび機構を供するために前部パネル１２および／または対応する胴体側部パネル１１Ａおよび１１Ｂと係合しない。ここで注目すべきは、図９のタブ２０１Ａおよび２０１Ｂは、それぞれ対応する蓋の側部パネル２１Ａおよび２１Ａより大きいので、パックの組み立ての最中、蓋の側部パネル２１Ａの全面をタブ２０１Ａにのり付けするために使用することができ、蓋の側部パネル２１Ｂの全面をタブ２０１Ｂにのり付けするために使用することができるということである。（これは蓋の内部側部タブが（外側）蓋の側部パネルと比較して大きさが小さい上記米国特許第５９０４２４４号の場合とは対照的である）。
ｂ）図９のブランクでは、胴体側部パネル１１Ａおよび１１Ｂの頂部は、角１６Ａおよび１６Ｂで示すように図８のブランクと比較して長く延びている。これらの長く延びたタブ２０１Ａおよび２０１Ｂをパックの胴体部の内側に保持する案内手段として機能する。
ｃ）図９のブランクでは、胴体側部パネル１１Ａと１１Ｂの頂部の斜めの切断線は、線４６Ａおよび４６Ｂで示すようにパックの胴体前部パネル内にまで延びている。胴体前部パネル１２の縁部でこのように上向きに延びていることによって、タブ２０１Ａおよび２０１Ｂを閉鎖位置に保持して抗あくび機構を供するが、タブ２０１Ａおよび２０１Ｂが僅かに内方に撓んだ場合、蓋を開けることができる。逆に蓋が閉じられる際には、上向きに延びた部分がタブ２０１Ａおよび２０１Ｂを内方に付勢し、胴体前部パネル１２を通過するので、必要以上の抵抗を受けることなく、蓋を閉じることができる。（いくつかの既存のＨＬパックでは、すでに胴体側部パネル１１Ａおよぶ１１Ｂの頂部の斜めの切断線がパックの胴体前部パネルへと僅かに延びているものもあるが、これは主に美観的なものである。）
【００４０】
当然のことながら、図９のブランクは、パネル、切断線、折り曲げ線の点において、図８のブランクと全体構造が同じであるので、図８のブランクからＨＬパックを製造するための既存の機械を僅かに変更するだけで、図９のブランクに適応させることができる。
【００４１】
図１０は本発明の別の態様によるブランクを示す。このブランクは、図９のブランクと多くの点で類似しているので、これらブランクの違いについてのみ説明する。図１０のパックの縁部は、ブランクの長手方向に延びた平行な線８０１Ａおよび８０１Ｂで示すように丸みを帯びている（図９のブランクのように鋭角ではなく）。特に図１０のブランクから組み立てられたパックにおいて、前部パネル１２、２２および２つの対向する側部パネル１１Ａ、１１Ｂ、２１Ａ、２１Ｂとの間の縁部および同様に背部パネル１３、２３および２つの対向する側部パネル１１Ａ、１１Ｂ、２１Ａ、２１Ｂとの間の縁部は、全て丸みを帯びている。これら縁部が丸みを帯びていることによって、内部タブ２０１Ａおよび２０１Ｂの前方縁部が前部パネル１２と係合しにくくなる。従って図１０のブランクは、側部内部パネル６１１と内部タブ２０１との間の切断線８１０の形状に基づいた異なる抗あくび機構を支持する。特に切断線８１０は、側部内部パネル６１１と内部タブ２０１が互いに相補的な形状を有し、これにより側部内部パネル６１１と内部タブ２０１が互いに係合またはかみ合うようになる。ここで注目すべき点は、図１０のブランクでは、内方タブ２０１が対応する蓋の側部パネル２１より大きく、よってこれらパネルの下方に延びるということである（図９のブランクと同様に）。
【００４２】
図１１は本発明の別の態様によるブランクを示す。このブランクは、内方タブ２０１と側部パネル６１１間の切断線、特に８１０における相補的な形状の点で異なるということ以外、図１０のブランクと実質的に同じである。当然のことながら、相補的な形状のための多くの切断線が可能であることは当業者にとって自明である。
【００４３】
図１２は、相補的な形状８１０（破線で示す）が蓋が閉じている際にどのように蓋が開かないように作用するかを示す。従って内方タブ２０１Ｂは、パックの底部（胴体）の方へと下方に向いた突起または延長部８１２Ｂを含む。この突起は、内部胴体側部パネル内に形成された対応するノッチまたは凹部に受け止められる。この凹部は、パックの頂部（蓋）の方へと上方に向けられた側部内部パネル上の延長部８１５によってパックの前部で境界が制限されている。
【００４４】
ユーザーがパックを開けようとした場合、突起８１２は延長部８１５に対して当接（縁と縁で）し、パックの開放を阻害する。蓋を開けるためにそれより僅かに強い力を加えると、突起８１２および／または延長部８１５は、変形（弾性的に）し、これらは同じ面に位置しなくなる。これにより突起８１２は、延長部を越えて摺動し、蓋が開けられる。パックが閉じられると、突起８１２と延長部８１５は、図１２に示す位置に戻り、抗あくび機構を再度機能させる。
【００４５】
種々の態様をここでは説明してきたが、多くのさらなる変形および変更が容易に可能であることは当業者にとって自明である。例えばここでは紙巻きタバコを対象に説明してきたが、広い範囲の喫煙品、例えば葉巻などにも本発明を適用することができる。さらにここで説明および例示した態様は、縁部が丸みを帯びた縁部と共にパネルによって直角に形成されているパックについて言及している。しかしながら、本発明の範囲は、添付の特許請求の範囲およびその同等物によって定義される。
【図１Ａ】
2010515632.tif 000003
【図１Ｂ】
2010515632.tif 000004
【図２】
2010515632.tif 000005
【図３】
2010515632.tif 000006
【図４】
2010515632.tif 000007
【図５】
2010515632.tif 000008
【図６】
2010515632.tif 000009
【図７】
2010515632.tif 000010
【図８】
2010515632.tif 000011
【図９】
2010515632.tif 000012
【図１０】
2010515632.tif 000013
【図１１】
2010515632.tif 000014
【図１２】
2010515632.tif 000015
【国際調査報告】
2010515632.tif 000016
2010515632.tif 000017
2010515632.tif 000018
2010515632.tif 000019